(57)【特許請求の範囲】
【請求項１】
長径方向と短径方向とを有する細長形のトッププレートと、
円筒形状であって該トッププレートの中央に形成された円形孔に挿入されて、該トッププレートとともに円形磁気空隙を形成するセンターポールと、
該センターポールを中央に配置して、該長径方向と該短径方向とに対応した細長形を有するアンダープレートと、
該トッププレートおよび該アンダープレートの間に狭持され、該長径方向に該センターポールを中間にして対称配置されて、同一方向に着磁された２つの主マグネットと、
を備えるスピーカー用磁気回路と、
該長径方向と該短径方向とに対応した細長形のスピーカー振動板と、
該スピーカー振動板の中央に連結する円筒形状のボイスコイルボビンと、
該ボイスコイルボビンに巻回されて該磁気空隙に配置されるボイスコイルと、
を備え、
該２つの主マグネットが、それぞれ略円筒形状を有するネオジウム系磁石であり、
該円形磁気空隙の磁束密度分布が、該長径方向と該短径方向において異なり、該短径方向での磁束密度ｂ２が、該長径方向での磁束密度ｂ１の８０％以下である、
動電型スピーカー。
【請求項２】
前記スピーカー用磁気回路が、前記センターポールと前記アンダープレートとの間に狭持され、前記２つの主マグネットとは逆方向に着磁された副マグネットを、さらに備え、
該副マグネットが、該センターポールの直径と略同直径の円筒形状を有する、
請求項１に記載の動電型スピーカー。
【請求項３】
前記スピーカー用磁気回路が、前記センターポール上に載置され、前記２つの主マグネットと同方向に着磁された反発マグネットを、さらに備え、
該反発マグネットが、該センターポールの直径と略同直径の円筒形状を有する、
請求項２に記載の動電型スピーカー。
【発明の詳細な説明】
【技術分野】
【０００１】
本発明は、長径方向に比べて短径方向が短い細長形の動電型スピーカーであって、音声再生能力に優れ、細長形のスピーカー振動板が分割振動しても影響が少なく、ディスプレイ等の機器に取り付けるのに適するスピーカー用磁気回路、および、動電型スピーカーに関する。
【背景技術】
【０００２】
音声を再生するスピーカーを取り付けるディスプレイ等の音響機器においては、スピーカーを取り付けるのに要する空間を小型化することが要望されている。特に、細長形（矩形、長円形（楕円形、トラック形を含む））の動電型スピーカーは、短径方向に振動板面積が限られる、細長形のスピーカー振動板に特有な分割振動の影響が大きくて平坦な再生音圧周波数特性を得ることが難しい、磁気空隙の磁束密度が高いスピーカー用磁気回路を採用しようとすると、磁気回路の幅がスピーカー振動板よりも広くなり小型化できない、といった様々な理由から音声再生能力において不利な点がある。したがって、従来には、これらの問題を解決するために様々なスピーカー振動板、スピーカー用磁気回路、および、これを用いた動電型スピーカーが提案されている。
【０００３】
例えば、矩形平面振動板の自由振動モードの内、異なる振動モードにおける２つの節に同時に接するボイスコイルボビンを有し、このボビンに設けられて磁気回路のギャップ内でピストン運動するボイスコイルによって上記矩形平面振動板を付し駆動するように構成するとともに、上記矩形平面振動板の外周部を上記ボイスコイルの駆動部に近い短辺側に比して上記ボイスコイルの駆動部に遠い短辺側が幅広い非対称なエッジ部材にてフレームに支持するように構成してなる動電型スピーカーがある（特許文献１）。
【０００４】
また、発泡性樹脂で作った長方形の平面振動板を備えるスピーカーであって、平面振動板の長径周縁をフレームに固定し、短径周縁をフリーエッジにして、動作を安定させ、動作の安定を図るスピーカーがある（特許文献２）。また、エッジのフレームによって形成される角部に略円弧状の弾性樹脂を重ね合わせ加熱成形処理し、スピーカーを駆動する時にエッジに変形の生じやすい角部近傍に弾性樹脂層を設けて、エッジたわみや変形等による歪みを吸収緩和し音質のこれらによる悪化を防止しようとするものがある（特許文献３）。
【０００５】
さらに、本発明の出願人によるスピーカー振動板では、振動板の外周側でエッジと接合するエッジ接合部と、エッジ接合部の内周側に設けられてボイスコイルと接合する振動板部と、を有し、振動板部が、エッジ接合部を含む平面として規定される仮想基準平面を有し、仮想基準平面と交差する線として規定される複数の節線ならびに仮想基準平面からの距離が極大になる点を結んだ線として規定される複数の稜線を有する波形状を備え、複数の節線が、振動板の長軸と非平行で交差せず、かつ、振動板の短軸と交差するものがある（特許文献４）。このような波形形状にスピーカー振動板をすることにより、細長振動板の長手方向つまり、長軸方向の強度が向上し、長軸方向に分割共振が生じる共振周波数を高い周波数にシフトすることができる。さらに、短軸方向の波形状の凹凸の間隔が、長軸方向に向かうにつれて漸次的に変化することで、長軸方向に生じやすい分割共振の共振周波数を分散させることができる。その結果、この波形形状を有する細長振動板を用いれば、音圧周波数特性上のピーク・ディップが少なく、再生音質に優れたスピーカーが実現される。
【０００６】
また、従来には、ポールピース付きプレートにマグネットを接合し、さらにマグネットのもう一方の面にトッププレートを接合し、ポールピースとトッププレートとの間に磁気ギャップを構成して成る外磁型の動電型スピーカーにおいて、上記マグネットを２分割配置したスピーカーがある（特許文献５）。このスピーカーの磁気回路では、略円形を２分割して直線部でポールピースを挟むように長径方向に配置したマグネット（第１図）、もしくは、直方体形状の外形を有しポールピースに対応する円形孔を有するマグネットを２分割したマグネット（第２図）が、長径方向に配置されており、短径方向にマグネットが配置されていないものの、短径方向に開放された角度（マグネットが存在しない空間部分に相当する角度）は非常に狭いものになっている。
【０００７】
【特許文献１】特開昭５８−９２１９８号公報
【特許文献２】実公昭４０−３２１６４号公報
【特許文献３】特開２００１−２８５９９１号公報
【特許文献４】特開２００７−１８０９１０号公報
【特許文献５】特開昭６３−２７８４９６号公報
【０００８】
ディスプレイ等の音響機器においては、良好な音声再生のためには、上記特許文献４に匹敵する良好な再生音質を有する動電型スピーカーをその内部に取り付けられるようにすることが好ましい。しかしながら、再生音圧レベルの向上を目的にして、スピーカー振動板の軽量化を図るために発泡した樹脂から形成されるスピーカー振動板を採用する場合には、長径方向の分割振動の影響が顕著になり、平坦な再生音圧周波数特性を得ることが難しい、高域再生限界周波数が高くできない、といった様々な問題が生じる場合がある。なお、前後振幅の前後とは、スピーカーの振動板が振動する場合に、ボイスコイル、ダンパー、および、磁気回路が取り付けられる側を後側とし、振動板が露出する側を前側としている。
【発明の開示】
【発明が解決しようとする課題】
【０００９】
本発明は、上記の従来技術が有する問題を解決するためになされたものであり、その目的は、長径方向に比べて短径方向が短い細長形の動電型スピーカーであって、能率が高く音声再生能力に優れ、細長形のスピーカー振動板が分割振動しても影響が少なく、ディスプレイ等の機器に取り付けるのに適するスピーカー振動板、および、動電型スピーカーを提供することにある。
【課題を解決するための手段】
【００１０】
本発明の動電型スピーカーは、長径方向と短径方向とを有する細長形（矩形、長円形（楕円形、トラック形を含む））のトッププレートと、円筒形状であってトッププレートの中央に形成された円形孔に挿入されて、トッププレートとともに円形磁気空隙を形成するセンターポールと、センターポールを中央に配置して、長径方向と短径方向とに対応した細長形を有するアンダープレートと、トッププレートおよびアンダープレートの間に狭持され、長径方向にセンターポールを中間にして対称配置されて、同一方向に着磁された２つの主マグネットと、を備えるスピーカー用磁気回路と、長径方向と短径方向とに対応した細長形のスピーカー振動板と、スピーカー振動板の中央に連結する円筒形状のボイスコイルボビンと、ボイスコイルボビンに巻回されて磁気空隙に配置されるボイスコイルと、を備え、２つの主マグネットが、それぞれ略円筒形状を有するネオジウム系磁石であり、円形磁気空隙の磁束密度分布が、長径方向と短径方向において異なり、短径方向での磁束密度ｂ２が、長径方向での磁束密度ｂ１の８０％以下である。
【００１１】
好ましくは、本発明の動電型スピーカーは、スピーカー用磁気回路が、センターポールとアンダープレートとの間に狭持され、２つの主マグネットとは逆方向に着磁された副マグネットを、さらに備え、副マグネットが、センターポールの直径と略同直径の円筒形状を有する。
【００１２】
さらに好ましくは、本発明の動電型スピーカーは、スピーカー用磁気回路が、センターポール上に載置され、２つの主マグネットと同方向に着磁された反発マグネットを、さらに備え、反発マグネットが、センターポールの直径と略同直径の円筒形状を有する。
【００１５】
以下、本発明の作用について説明する。
【００１６】
本発明のスピーカー用磁気回路は、長径方向と短径方向とを有する細長形（矩形、長円形（楕円形、トラック形を含む））のトッププレートと、センターポールを中央に配置し長径方向と短径方向とに対応した細長形を有するアンダープレートと、長径方向にセンターポールを中間に対称配置される同一方向に着磁された２つの主マグネットと、を備えるスピーカー用磁気回路である。センターポールは、円筒形状であってトッププレートの中央に形成された円形孔に挿入されて、トッププレートとともに半径方向に均等な幅を有する円形磁気空隙を形成する。スピーカー用磁気回路を構成する２つの主マグネットは、それぞれ略円筒形状を有する希土類磁石であり、長径方向にセンターポールを中間にして対称配置されており、同一方向に着磁される。長径方向にセンターポールを中間にして対称配置されているとは、センターポールを点対称の中点にして、長径方向に２つの主マグネットが並ぶ様子を表している。スピーカー用磁気回路の長径方向には２つの主マグネットが配置されている一方で、短径方向には磁力を発生するマグネット（磁石）が配置されず、かつ、短径方向に開放された角度は非常に広くなっている。なお、長径方向とは、矩形、長円形、楕円形、あるいは、トラック形を含む細長形を規定する長軸が延びる方向であり、短径方向とは、長軸と直交する短軸が延びる方向である。
【００１７】
したがって、本発明のスピーカー用磁気回路は、通常の円筒形状のボイスコイルを使用することができる半径方向に均等な幅を有する円形磁気空隙を有しながら、全体形状を細長形にすることができる。例えば、発泡させた樹脂を含み長径方向と短径方向とに対応した細長形のスピーカー振動板と、スピーカー振動板の中央に連結する円筒形状のボイスコイルボビンと、ボイスコイルボビンに巻回されて磁気空隙に配置されるボイスコイルと、をさらに備えることで、細長形の動電型スピーカーを提供できる。細長形のスピーカー振動板は、発泡させた樹脂を含む振動板本体および振動板本体の外周縁を支持するエッジを有しており、細長形の動電型スピーカーは、ボイスコイルを磁気空隙に配置するダンパーと、磁気回路と連結してスピーカー振動板のエッジの外周端側が固定されるフレームと、を備えていてもよい。
【００１８】
ここで、細長形の磁気回路を構成する２つの主マグネットは、小さい体積でも保磁力の強い希土類磁石であり、それぞれ略円筒形状を有する。２つの主マグネットは、円形磁気空隙を形成するセンターポールを中間にして、長径方向に離隔して対称配置されているので、本発明のスピーカー用磁気回路は、トッププレートおよびセンターポールが形成する円形磁気空隙が半径方向に均等な幅を有する場合であっても、磁束密度分布が長径方向と短径方向において異なり、長径方向での磁束密度が短径方向での磁束密度よりも高くなる。すなわち、２つの主マグネットがそれぞれ略円筒形状を有し、かつ、強い保磁力を有しているので、磁石と磁気空隙が最も接近する長径方向で強い磁束密度を生じ、磁石が存在しない短径方向では磁束密度が低下し、主マグネットの略円筒形状に起因して、短径方向で磁束密度が低下する角度の範囲が大きくなる。その結果、長径方向磁路の磁気抵抗および短径方向磁路の磁気抵抗の差異が著しくなり、磁気空隙に配置されて音声電流が供給されるボイスコイルは、円周方向に均等な駆動力ではなく、長径方向において強い駆動力で駆動され、短径方向において弱い駆動力で駆動されることになる。好ましくは、短径方向での磁束密度ｂ２が、長径方向での磁束密度ｂ１の８０％以下である場合には、短径方向の駆動力が長径方向の駆動力の約８０％以下にすることができる。その結果、本発明のスピーカー用磁気回路を用いた細長形の動電型スピーカーは、短径方向の分割振動に起因するピーク・ディップを抑制し、平坦な再生音圧周波数特性を実現することができる。
【００１９】
好ましくは、本発明のスピーカー用磁気回路は、センターポールとアンダープレートとの間に狭持される２つの主マグネットとは逆方向に着磁された副マグネットを、さらに備えていてもよい。また、センターポール上に載置され、２つの主マグネットと同方向に着磁された反発マグネットを、さらに備えていてもよい。副マグネットおよび反発マグネットは、センターポールの直径と略同直径の円筒形状を有していれば、円形磁気空隙の磁束密度分布を全体的に向上させることができ、動電型スピーカーの能率を更に向上させることができる。
【００２０】
なお、スピーカー用磁気回路を構成するマグネットは、上記のように高い保磁力を有する希土類磁石であることが好ましい。希土類磁石とは、Ｎｄ−Ｆｅ−Ｂ系のネオジウム磁石、もしくは、Ｓｍ−Ｃｏ系のサマリウムコバルト磁石を含み、磁石の最大エネルギー積（ＢＨ）ｍａｘが大きな値をとり、残留磁化および保磁力が大きい磁石である。２つの主マグネットは、長径方向にセンターポールを中間位置において、それぞれ離隔して配置されるので、センターポールと主マグネットの距離を調整することにより、長径方向と短径方向の磁束密度分布の差比を調整することができる。
【発明の効果】
【００２１】
長径方向に比べて短径方向が短い細長形のスピーカー用磁気回路であっても、能率が高く音声再生能力に優れ、分割振動の影響が少なく、ディスプレイ等の機器に取り付けるのに適する動電型スピーカーを提供することができる。
【発明を実施するための最良の形態】
【００２２】
本発明の動電型スピーカーは、長径方向に比べて短径方向が短い細長形のスピーカー振動板であっても、能率が高く音声再生能力に優れ、分割振動の影響が少なく、ディスプレイ等の機器に取り付けるのに適する動電型スピーカーを提供するという目的を、長径方向と短径方向とを有する細長形のトッププレートと、円筒形状であってトッププレートの中央に形成された円形孔に挿入されて、トッププレートとともに半径方向に均等な幅を有する円形磁気空隙を形成するセンターポールと、センターポールを中央に配置して、長径方向と短径方向とに対応した細長形を有するアンダープレートと、トッププレートおよびアンダープレートの間に狭持され、長径方向にセンターポールを中間にして対称配置されて、同一方向に着磁された２つの主マグネットと、を備えるスピーカー用磁気回路と、長径方向と短径方向とに対応した細長形のスピーカー振動板と、スピーカー振動板の中央に連結する円筒形状のボイスコイルボビンと、ボイスコイルボビンに巻回されて磁気空隙に配置されるボイスコイルと、を備え、２つの主マグネットが、それぞれ略円筒形状を有するネオジウム系磁石であり、円形磁気空隙の磁束密度分布が、長径方向と短径方向において異なり、短径方向での磁束密度ｂ２が、長径方向での磁束密度ｂ１の８０％以下であるようにすることにより、実現した。
【００２３】
以下、本発明の好ましい実施形態によるスピーカー用磁気回路および動電型スピーカーについて説明するが、本発明はこれらの実施形態には限定されない。
【実施例１】
【００２４】
図１および図２は、本発明の好ましい実施形態による動電型スピーカー１を説明する図である。図１（ａ）は、動電型スピーカー１を前面側斜め上方から見た斜視図であり、図１（ｂ）は、動電型スピーカー１を背面側斜め下方から見た斜視図である。また、図２（ａ）は、動電型スピーカー１のＯ−Ａ断面図であり、図２（ｂ）は、動電型スピーカー１のＢ−Ｂ’断面図である。なお、後述するように、動電型スピーカー１の一部の構造や、内部構造等は、省略している。また、点Ａ−Ａ’を結ぶ直線が延びる方向が長径方向であり、また、点Ｂ−Ｂ’
を結ぶ直線が延びる方向が短径方向である。
【００２５】
本実施例の動電型スピーカー１は、長径方向長Ｌ１が約２１０ｍｍ、短径方向長Ｌ２が約３５ｍｍのトラック形のスピーカー振動板２を有する細長形の動電型スピーカーであり、細長形であっても口径が約９０ｍｍの円形振動板と同等の振動板面積を有するスピーカーである。スピーカー振動板２は、エッジ３によってその外周端を支持されており、エッジ３の外周端は、フレーム６に固定されている。また、スピーカー振動板２の背面側には、ボイスコイル４が連結しており、ダンパー５（前側ダンパー５ａおよび後側ダンパー５ｂ）により振動可能に支持されている。また、フレーム６は、トラック形のスピーカー振動板２に対応した細長形状であり、フレーム６に固定される磁気回路１０も、短径方向長Ｌ２以下の幅が狭い細長形状を有している。したがって、動電型スピーカー１は、ディスプレイ等の機器が有する表示部の側面など、スピーカーを取り付ける幅が少ない機器に適するスピーカーである。
【００２６】
動電型スピーカー１のスピーカー振動板２は、その外周端にエッジ３の内周側が接着されており、また、中央背面にはボイスコイル４を構成するボビン４ａが接着される。スピーカー振動板２は、スピーカー振動板の軽量化を図るために発泡させた熱可塑性樹脂を形成して構成されている。本実施例の場合には、押出成形された熱可塑性樹脂発泡シート（具体的には、ポリスチレンペーパー）を、プラグアシスト成形を併用した真空成形法を用いることで、厚みが不均一でリブを有するスピーカー振動板２を得ている。すなわち、長径方向長Ｌ１と短径方向長Ｌ２が著しく異なる細長形のスピーカー振動板２は、長径方向の分割振動の影響が顕著になりやすいので、長径方向に延びるリブを有し、かつ、短径方向断面形状が略Ｗ字形になるようにして、長径方向に剛性を有する形状とされている。また、スピーカー振動板２の表面および裏面には、熱可塑性樹脂のフィルム（具体的には、ポリスチレンのフィルム）が熱融着されていて、スピーカー振動板２の剛性を高めている。
【００２７】
エッジ３は、本実施例では、柔軟性を有する発泡ゴムを金型内に注入して加熱発泡して形成したものである。スピーカー振動板２の長径方向に直線状に延びるトラック形の長辺では、スピーカー振動板２を自由支持するように薄肉のコルゲーション（またはロール）によるフリーエッジが形成され、短径方向に円弧状になるトラック形の短辺では、スピーカー振動板２を固定支持するように厚肉で自由に振動しないフィックスドエッジが形成される。その結果、細長形のスピーカー振動板２は、短径方向ではエッジ３のフリーエッジ部のコンプライアンスで柔軟に支持される一方で、長径方向ではスピーカー振動板２を形成する熱可塑性樹脂の発泡シートの柔軟性によって、曲げ振動可能にされている。
【００２８】
ボイスコイル４は、円筒形に形成したボビン４ａと、その一端側に巻回されて音声電流が供給されるコイル４ｂと、から形成される。ボビン４ａは、コイル４ｂが巻回されない他端側がスピーカー振動板２の背面中央に接着剤により連結される。コイル４ｂは、後述する磁気回路１０の円形磁気空隙１２に配置される。なお、錦糸線８は、フレーム６に固定されるターミナル７と、ターミナル７からコイル４ｂの引出線とを、ハンダづけして導通させて、コイル４ｂに音声電流を供給する。ただし、錦糸線８は、スピーカー振動板２に金属ハトメを設けてターミナル７まで導通させるようにしてもよい。
【００２９】
ダンパー５は、前側ダンパー５ａおよび後側ダンパー５ｂからなる二段ダンパーであり、柔軟性を有する繊維の織布を基材としてフェノール樹脂を含浸して成形する円形のコルゲーションダンパーを切断して細長形状（トラック形）にしたものである。前側ダンパー５ａおよび後側ダンパー５ｂの内周端は、ボビン４ａの円筒外面側と連結してスピーカー振動板２の背面中央側を支持する。前側ダンパー５ａおよび後側ダンパー５ｂの外周端側は、フレーム６の固定部に固定される。なお、ダンパー５は、他の形状のコルゲーションダンパーであって、二段でなくても良く、また、他の材料で形成するものであってもよく、内周側リングと外周側リングを連結するアームを有し、金属または樹脂で形成する蝶ダンパーであってもよい。
【００３０】
フレーム６は、スピーカー振動板２の形状に対応して細長形のバスケット状にプレス成型された鉄板フレームであり、エッジ３を固定する略矩形の固定部と、ダンパー５ａおよび５ｂ、そして、磁気回路１０を固定する固定部と、これらの固定部を連結する連結部と、複数の連結部の間に規定される窓と、ターミナル７を取り付ける取付孔と、を備える。したがって、スピーカー振動板２、エッジ３、ボイスコイル４、および、ダンパー５からなるスピーカー振動系は、フレーム６に対して振動可能に支持される。
【００３１】
磁気回路１０は、フレーム６に固定される細長形のトッププレート１１と、円筒形状であってトッププレート１１の中央に形成された円形孔に挿入されるセンターポール１２と、細長形のアンダープレート１４と、同一方向に着磁された２つの主マグネット１５ａおよび１５ｂと、から構成される。トッププレート１１およびセンターポール１２は、半径方向に均等な幅を有する円形磁気空隙１３を形成する。主マグネット１５ａおよび１５ｂは、トッププレート１１およびアンダープレート１４の間に狭持され、長径方向にセンターポール１２を中間にして対称配置される。
【００３２】
２つの主マグネット１５ａおよび１５ｂは、小さい体積でも保磁力の強いＮｄ−Ｆｅ−Ｂ系の希土類磁石であり、それぞれ略円筒形状を有する。なお、希土類磁石とは、Ｎｄ−Ｆｅ−Ｂ系のネオジウム磁石、もしくは、Ｓｍ−Ｃｏ系のサマリウムコバルト磁石であって、磁石の最大エネルギー積（ＢＨ）ｍａｘが大きな値をとり、残留磁化および保磁力が大きい磁石である。希土類磁石は、保磁力が大きいので、高い磁束密度を発生させることができる一方で、パーミアンス係数が大きく、減磁しにくい。
【００３３】
本実施例の磁気回路１０の長径方向には２つの主マグネット１５ａおよび１５ｂが配置されている一方で、短径方向には磁力を発生するマグネット（磁石）が配置されないので、その結果、磁気回路１０は、全体形状が細長形になり、短径方向から磁気回路１０を側面視すると、マグネットが配置されない開放された空間からセンターポール１２の円筒側面を直接視できる程度に、開口の角度は広くなっている。
【００３４】
磁気回路１０は、ボイスコイル４のコイル４ｂを平面視した場合に投影する領域の外部に磁石が配置される外磁型磁気回路であり、かつ、保磁力の強い主マグネット１５ａおよび１５ｂが長径方向に配置されるので、本発明の動電型スピーカー１のような細長形のスピーカーに適する。磁気回路１０の最大幅を小さくすることができれば、細長形のスピーカー振動板２を前面視した場合に形成される領域内に磁気回路１０が収まるからである。したがって、軽量なスピーカー振動板２を採用することを含めて、能率の高い動電型スピーカー１が実現される。
【００３５】
ボイスコイル４のコイル４ｂに音声電流が供給されると、磁気空隙１３に配置されたボイスコイル４には駆動力が作用し、ボイスコイル４は図２における上下方向に振動し、連結されたスピーカー振動板２も上下方向に振動する。スピーカー振動板２は、短径方向ではその外周端を支持するエッジ３のフリーエッジ部が柔軟に支持する。その一方で、長径方向ではスピーカー振動板２を形成する熱可塑性樹脂発泡シートの柔軟性によって曲げ振動可能になり、最低共振周波数ｆ０付近若しくはそれ以下の周波数でボイスコイル４が大きく変位する場合には、長径方向の両端を固定されたスピーカー振動板２は、長径方向に弓状に曲がって変形する。
【００３６】
また、後述するように、磁気回路１０は、円形磁気空隙１３が半径方向に均等な幅を有するものであっても、磁束密度分布が長径方向と短径方向において異なり、略円筒形状主マグネット１５ａおよび１５ｂと、円形の磁気空隙１３が最も接近する長径方向では極めて強い磁束密度を生じ、長径方向での磁束密度が短径方向での磁束密度よりも高くなる。円形磁気空隙１３での円周方向の磁束密度分布が、長径方向と短径方向とで異なるので、スピーカー振動板２を駆動する駆動力も長径方向と短径方向とで異なるようにでき、再生周波数特性のピーク・ディップを低減することができる。
【００３７】
図３は、本実施例の磁気回路１０を説明する図であり、図３（ａ）は磁気回路１０の斜視図であり、図３（ｂ）は磁気空隙１３の円周方向の角度（点Ｏを中心にして、短径を示すＢ方向から時計回りにＡ、Ｂ’、Ａ’、再びＢ、の順番）に対応する磁束密度分布を測定したグラフである。センターポール１２には貫通孔が形成されており、磁気空隙１３の内径は約２０ｍｍであり、ネオジウムを含むＮｄ−Ｆｅ−Ｂ系磁石の主マグネット１５ａおよび１５ｂの直径は約２９ｍｍ、厚み約７ｍｍである。また、センターポール１２の中心点と、主マグネット１５ａの中心点との距離は、約２７ｍｍである。このとき、磁気空隙１３の磁束密度は、長径方向で約１．４［Ｔ］と高く、短径方向で約１．１［Ｔ］と低くなるので、磁束密度のグラフは、長径方向ＡまたはＡ’において高い値を示すピークが出現する。本実施例の磁気回路１０の場合には、短径方向での磁束密度ｂ２が、長径方向での磁束密度ｂ１の約７９％であり、ボイスコイル４に作用する駆動力も、短径方向の駆動力が長径方向の駆動力の約７９％になる。なお、センターポール１２と主マグネット１５ａおよび１５ｂとの距離を適切に設定する、または、主マグネット１５ａおよび１５ｂの大きさを調整することにより、短径方向での磁束密度ｂ２を、長径方向での磁束密度ｂ１の８０％以下にすることができる。
【００３８】
図４は、磁気回路を構成する各部品の寸法が異なる場合の他の実施例の磁気回路１０Ａを説明する図である。図４（ａ）は磁気回路１０Ａの斜視図であり、図４（ｂ）は磁気空隙１３の円周方向の角度に対応する磁束密度分布を測定したグラフである。センターポール１２には貫通孔が形成されておらず、磁気空隙１３の内径は約２５ｍｍであり、Ｎｄ−Ｆｅ−Ｂ系磁石である主マグネット１５ａおよび１５ｂの直径は約２９ｍｍ、厚み約７ｍｍである。また、センターポール１２の中心点と、主マグネット１５ａの中心点との距離は、約２９ｍｍである。このとき、磁気空隙１３の磁束密度は、長径方向で約１．５［Ｔ］と高く、短径方向で約０．７１［Ｔ］と低くなる。本実施例の磁気回路１０Ａの場合には、短径方向での磁束密度ｂ２が、長径方向での磁束密度ｂ１の約４７％であり、ボイスコイル４に作用する駆動力も、短径方向の駆動力が長径方向の駆動力の約４７％になる。
【００３９】
図５は、短径方向から見て開放された空間からセンターポールの円筒側面を直接視できる磁気回路の比較例として、従来の内磁型の磁気回路３０を説明する図である。図５（ａ）は磁気回路３０の斜視図であり、磁気回路３０は、トッププレート３１とアンダープレート３４を一体にしたヨークと、センターポール３２と、主マグネット３５と、から構成される。図５（ｂ）は、ヨークのトッププレート３１とセンターポール３２とが規定する磁気空隙３３の円周方向の角度に対応する磁束密度分布を測定したグラフである。センターポール１２には貫通孔が形成されておらず、磁気空隙３３の内径は約２５ｍｍであり、Ｎｄ−Ｆｅ−Ｂ系磁石である主マグネット３５の直径は約２４ｍｍ、厚み約１２ｍｍ（厚み約６ｍｍを２段積み）である。このとき、磁気空隙３３の磁束密度は、長径方向で約０．６８９［Ｔ］と低く、短径方向で約０．６８３［Ｔ］とほぼ変化しなくなる。本実施例の磁気回路３０の場合には、短径方向での磁束密度ｂ２が、長径方向での磁束密度ｂ１の約９８％であり、ボイスコイル４に作用する駆動力も、短径方向の駆動力が長径方向の駆動力の約９８％になり、ほとんど変化しない。
【００４０】
図６は、磁気回路１０を用いる本実施例の動電型スピーカー１の動作を説明する図であり、図６（ａ）は再生音圧周波数特性を説明するグラフであり、図６（ｂ）はスピーカー振動板２の振動姿態を示す図である。図６（ａ）において、実施例の場合の８．５ｋＨｚ付近の周波数におけるピーク・ディップの改善を示すために、比較例として再生音圧レベルを基準化して（上昇させて）一致させた従来の内磁型磁気回路３０の場合の周波数特性を点線で示している。図６（ｂ）で示すスピーカー振動板２の１／４部分（Ｂ’−Ｏ−Ａ’断面）では、８．５ｋＨｚのディップとなる周波数において、ボビン４ａが背面から取り付けられているスピーカー振動板２の中心付近（点Ｏの周囲）、および、短径方向の端（点Ｂ’の周囲）が最も振動変位の振幅が大きく、かつ、これらが逆相に振幅して音圧がキャンセルされていることが分かる。本実施例の場合のように、短径方向での磁束密度ｂ２を、長径方向での磁束密度ｂ１よりも低くして、ボイスコイル４に作用する駆動力を、長径方向に比べて短径方向で小さくすることで、逆相の振動による音圧のキャンセルを抑制することができるので、より平坦な周波数特性が実現される。
【００４１】
なお、小さな体積でも保磁力の大きいＮｄ−Ｆｅ−Ｂ系、もしくは、Ｓｍ−Ｃｏ系の希土類磁石を用いることで、略円筒形状の主マグネット１５ａおよび１５ｂと、円形の磁気空隙１３とが最も接近する長径方向では、極めて強い磁束密度を生じさせることができ、その結果、短径方向の駆動力と長径方向の駆動力との比を大きくすることができる。従来の外磁型の動電型スピーカーにおいて、略円形のマグネットを２分割して直線部でポールピースを挟むように長径方向に配置した磁気回路の場合に、または、直方体形状の外形を有するマグネットをポールピースに対応する円形孔のところで２分割して配置した磁気回路の場合に、これらのマグネットに保磁力の小さなフェライトマグネット等を使用すると、上記比較例の場合と同様に、円形の磁気空隙の磁束密度は円周方向でほぼ変化しなくなる。したがって、ピーク・ディップを抑制することができないばかりか、磁束密度も低下するので再生音圧レベルが低下して能率が低い動電型スピーカーになる。
【実施例２】
【００４２】
図７は、本発明の他の実施例の磁気回路４０を説明する図であり、実施例１の動電型スピーカー１のような細長形の動電型スピーカーを構成する他の磁気回路を説明する図である。図７（ａ）は、磁気回路４０の長径方向Ａ−Ａ’断面図であり、図７（ｂ）は磁気空隙４３の円周方向の角度（点Ｏを中心にして、短径を示すＢ方向から時計回りにＡ、Ｂ’、Ａ’、再びＢ、の順番）に対応する磁束密度分布を測定したグラフである。なお、後述するものを除いて、実施例１で説明した動電型スピーカー１を構成するものと共通する部分は、共通の番号を付して説明を省略する。
【００４３】
磁気回路４０は、フレーム６に固定される細長形のトッププレート４１と、円筒形状であってトッププレート１１の中央に形成された円形孔に挿入されるセンターポール４２と、細長形のアンダープレート４４と、同一方向に着磁された２つの主マグネット４５ａおよび４５ｂと、に加えて、副マグネット４６をさらに備える。副マグネット４６は、主マグネットと同様に小さい体積でも保磁力の強いＮｄ−Ｆｅ−Ｂ系磁石であり、センターポール４２とアンダープレート４４との間に狭持され、２つの主マグネット４５ａおよび４５ｂと逆方向に着磁される。副マグネット４６は、ボイスコイルが配置される磁気空隙４３を形成するセンターポール４２の真下に位置することになるので、ボイスコイルと接触して異音を発生することが無いように、センターポール４２の直径と略同直径の円筒形状を有する。
【００４４】
磁気回路４０の磁気空隙４３の内径は約２７ｍｍであり、Ｎｄ−Ｆｅ−Ｂ系磁石である主マグネット４５ａおよび４５ｂの直径は約２４ｍｍ、厚み約３ｍｍ、副マグネット４６の直径は約２４ｍｍ、厚み約３ｍｍ、である。また、センターポール４２の中心点と、主マグネット４５ａの中心点との距離は、約２７ｍｍである。このとき、磁気空隙１３の磁束密度は、長径方向で約１．２５［Ｔ］になり、短径方向で約０．７５［Ｔ］と長径方向よりも低くなるので、磁束密度のグラフは、長径方向ＡまたはＡ’に対応して高い値を示すピークが２箇所に出現し、それらのピークの形は急峻になっている。本実施例の磁気回路４０の場合には、短径方向での磁束密度ｂ２が、長径方向での磁束密度ｂ１の約６０％であり、ボイスコイル４に作用する駆動力も、短径方向の駆動力が長径方向の駆動力の約６０％になる。
【００４５】
なお、主マグネット４５ａおよび４５ｂと、副マグネット４６の厚みは約３ｍｍと薄型化されているので、磁気回路４０の全高を薄型化して、軽量な動電型スピーカーを実現することができる。厚みが約３ｍｍのＮｄ−Ｆｅ−Ｂ系磁石を用いる場合には、副マグネットを使用せずに２つの主マグネットのみで磁気回路を構成する場合には、磁気空隙４３の磁束密度は、長径方向で約０．９６［Ｔ］になり、短径方向で約０．５３［Ｔ］になる。
【００４６】
したがって、本実施例の磁気回路４０は、センターポール４２の直径と略同直径の円筒形状を有する副マグネット４６を備えているので、半径方向に均等な幅を有する円形磁気空隙４３の磁束密度分布を全体的に向上させることができ、動電型スピーカーの能率を更に向上させることができる。また、長径方向での磁束密度ｂ１と、短径方向での磁束密度ｂ２との比を大きく設定できるので、ピーク・ディップを抑制する効果を大きくすることができる。
【実施例３】
【００４７】
図８は、本発明の他の実施例の磁気回路４０Ａを説明する図であり、磁気回路４０Ａは、先の実施例の磁気回路４０が、更に反発マグネット４７を備える場合である。図８（ａ）は、磁気回路４０Ａの長径方向Ａ−Ａ’断面図であり、図８（ｂ）は磁気空隙４３の円周方向の角度（点Ｏを中心にして、短径を示すＢ方向から時計回りにＡ、Ｂ’、Ａ’、再びＢ、の順番）に対応する磁束密度分布を測定したグラフである。なお、先の実施例において説明した磁気回路、ならびに、動電型スピーカーを構成するものと共通する部分は、共通の番号を付して説明を省略する。
【００４８】
磁気回路４０Ａは、フレーム６に固定される細長形のトッププレート４１と、円筒形状であってトッププレート１１の中央に形成された円形孔に挿入されるセンターポール４２と、細長形のアンダープレート４４と、同一方向に着磁された２つの主マグネット４５ａおよび４５ｂと、副マグネット４６と、に加えて、反発マグネット４７をさらに備える。反発マグネット４７は、副マグネット４６と同様に小さい体積でも保磁力の強いＮｄ−Ｆｅ−Ｂ系磁石であり、センターポール４２上に載置され、２つの主マグネット４５ａおよび４５ｂと同方向に、つまり、副マグネット４６と逆方向に着磁される。副マグネット４６と反発マグネット４７は、ボイスコイルが配置される磁気空隙４３に強い反発磁界を形成する。副マグネット４６と反発マグネット４７は、ボイスコイルと接触して異音を発生することが無いように、センターポール４２の直径と略同直径の円筒形状を有する。
【００４９】
磁気回路４０Ａの磁気空隙４３Ａの磁束密度は、長径方向で約１．５０［Ｔ］と先の実施例の磁気回路４０よりもさらに高く、短径方向では長径方向よりも低く約１．０５［Ｔ］になるので、磁束密度のグラフは、長径方向ＡまたはＡ’に対応して高い値を示すピークが２箇所に出現する。本実施例の磁気回路４０Ａの場合には、短径方向での磁束密度ｂ２が、長径方向での磁束密度ｂ１の約７０％であり、ボイスコイル４に作用する駆動力も、短径方向の駆動力が長径方向の駆動力の約７０％になる。
【００５０】
すなわち、磁気回路４０Ａは、センターポール４２の直径と略同直径の円筒形状を有する副マグネット４６および反発マグネット４７を備えているので、半径方向に均等な幅を有する円形磁気空隙４３Ａの磁束密度分布を全体的に向上させることができ、動電型スピーカーの能率を更に向上させることができる。
【００５１】
なお、本実施例のスピーカー用磁気回路は、他のボイスコイル径に対応した異なる寸法の磁気回路であっても良い。また、および、これを用いた動電型スピーカーは、トラック形のスピーカー振動板に限らず、楕円形、長円形、長方形、矩形といった長径寸法と短径寸法との比が大きい細長形の動電型スピーカーであればよい。
【産業上の利用可能性】
【００５２】
本発明の動電型スピーカーは、ディスプレイ等の映像・音響機器に内蔵するスピーカーとしてのみならず、音声を再生するスピーカーを内蔵するキャビネットを有するゲーム機、スロットマシン等の遊戯機にも適用が可能である。また、本発明のスピーカー用磁気回路を備える動電型スピーカーは、全幅が狭く、小型・薄型のキャビネットで音声を再生するスピーカーシステムが実現できるので、設置空間が限定される車両用のスピーカーに特に適する。
【図面の簡単な説明】
【００５３】
【図１】本発明の好ましい実施形態による動電型スピーカー１を説明する図である。（実施例１）
【図２】本発明の好ましい実施形態による動電型スピーカー１を説明する図である。（実施例１）
【図３】本発明の好ましい実施形態による磁気回路１０を説明する図である。（実施例１）
【図４】本発明の好ましい実施形態による磁気回路１０Ａを説明する図である。（実施例１）
【図５】比較例の磁気回路３０を説明する図である。
【図６】本発明の好ましい実施形態による磁気回路１０を用いる本実施例の動電型スピーカー１の動作を説明する図である。（実施例１）
【図７】本発明の好ましい実施形態による磁気回路４０を説明する図である。（実施例２）
【図８】本発明の好ましい実施形態による磁気回路４０Ａを説明する図である。（実施例３）
【符号の説明】
【００５４】
１        動電型スピーカー
２        スピーカー振動板
３        エッジ
４        ボイスコイル
５        ダンパー
６        フレーム
７        ターミナル
８        錦糸線
１０、１０Ａ、３０、４０、４０Ａ      磁気回路
１１、３１、４１      トッププレート
１２、３２、４２      センターポール
１３、３３、４３      磁気空隙
１４、３３、４４      アンダープレート
１５ａ、１５ｂ、４５ａ、４５ｂ      主マグネット
３５      主マグネット
４６      副マグネット
４７      反発マグネット
【図１】
0004952930.tif 000002
【図２】
0004952930.tif 000003
【図３】
0004952930.tif 000004
【図４】
0004952930.tif 000005
【図５】
0004952930.tif 000006
【図６】
0004952930.tif 000007
【図７】
0004952930.tif 000008
【図８】
0004952930.tif 000009